(57)【特許請求の範囲】
【請求項１】
内容物を収納する収納空間を有する容器本体と、この容器本体の口頚部の突端に一体的につながり該容器本体の収納空間を密閉状態に保持する栓体部とを備え、その相互間に設けられた破断予定部を起点とする該栓体部の傾倒、折り曲げにて該破断予定部を破断して該容器本体の口部を開放する合成樹脂製アンプル容器であって、
前記栓体部を覆い隠し前記容器本体の口頚部の外側面に形成されたねじ部に着脱自在に連係するオーバーキャップを設け、
前記容器本体の口頚部に、該口頚部を取り囲むとともに、前記オーバーキャップの下端に薄肉連結片を介して切り離し可能に連結する封印バンドを設け、
前記ねじ部に、周方向の対向２箇所においてねじ部のねじ山を分断する平滑部を設け、
前記平滑部は、前記栓体部を傾倒、折り曲げる際に指をあてがわれて把持されるホールド部であることを特徴とする合成樹脂製アンプル容器。
【請求項２】
前記封印バンドは、前記容器本体の口頚部を取り囲む環状帯と、この環状帯の内周壁に設けられ、該環状帯の口頚部からの抜け出しを不能とする弾性舌片からなることを特徴とする請求項１に記載した合成樹脂製アンプル容器。
【発明の詳細な説明】
【技術分野】
【０００１】
本発明は、栓体部を傾倒、折り曲げることにより破断予定部から該栓体部を切り離して容器本体の口部を開放する合成樹脂製アンプル容器に関するものである。
【背景技術】
【０００２】
使い切りタイプの薬剤等を収納するのに用いられるアンプル容器は、容器本体の口部に破断予定部（薄肉弱化部）を介して栓体部（頭部）が一体的につながった構造からなっているのが普通であり、該破断予定部を起点とする栓体部の傾倒、折り曲げにて該破断予定部を破断することによって容器を開封して内容物の取り出しを可能としている（特許文献１参照）。
【先行技術文献】
【特許文献】
【０００３】
【特許文献１】特開２００９−１５３９００号公報
【特許文献２】特開２０１０−２９５９８号公報
【０００４】
ところで、この種の容器は、商品の流通過程で加えられる振動や衝撃等により栓体部に予期しない外力が付加された場合に簡単に折れ曲がってしまい、破断予定部が破断されて内容物が漏れ出てしまうことが懸念されるため、通常は、アンプル容器の全体を別に用意したケースに入れるのが普通であった。
【０００５】
しかし、この場合、アンプル容器の製造に使用する材料の他にケースの製造に使用する材料が必要となることから資源の有効活用を図る観点からも得策であるとはいえない。
【０００６】
なお、この点に関しては、オーバーキャップにて栓体部のみを覆い隠し、その下部を、容器本体の口部にアンダーカットやねじにより固定保持するようにした特許文献２に開示された構造のものも知られているが、係る構造のアンプル容器においても商品の流通過程で加えられる振動や衝撃でオーバーキャップと容器本体との係合状態が解除されないとはいえないところに問題を残しており、栓体部を確実に保護することができるアンプル容器の開発が望まれている。
【発明の開示】
【発明が解決しようとする課題】
【０００７】
本発明の課題は、商品の流通過程で加えられる振動や衝撃でもって発生が懸念されるアンプル容器の栓体部における折れ曲がりを容器の製造に使用する材料の使用量を増加させることなしに確実に防止できる合成樹脂製アンプル容器を提案するところにある。
【課題を解決するための手段】
【０００８】
本発明は、内容物を収納する収納空間を有する容器本体と、この容器本体の口頚部の突端に一体的につながり該容器本体の収納空間を密閉状態に保持する栓体部とを備え、その相互間に設けられた破断予定部を起点とする該栓体部の傾倒、折り曲げにて該破断予定部を破断して該容器本体の口部を開放する合成樹脂製アンプル容器であって、前記栓体部を覆い隠し前記容器本体の口頚部の外側面に形成されたねじ部に着脱自在に連係するオーバーキャップを設け、前記容器本体の口頚部に、該口頚部を取り囲むとともに、前記オーバーキャップの下端に薄肉連結片を介して切り離し可能に連結する封印バンドを設けたことを特徴とする合成樹脂製アンプル容器である。
【０００９】
上記の構成からなる合成樹脂製アンプル容器においては、
１）ねじ部は、その周りの少なくとも１か所にてねじ山を分断した間欠ねじ部とすること、
２）封印バンドを、前記容器本体の口頚部を取り囲む環状帯と、この環状帯の内周壁に設けられ、該環状帯の口頚部からの抜け出しを不能とする弾性舌片から構成すること、
が、本発明の課題を解決するための具体的手段として好ましい。
【発明の効果】
【００１０】
上記の構成からなる本発明の合成樹脂製アンプル容器によれば、栓体部を覆い隠し容器本体の口頚部の外側面に形成されたねじ部に着脱自在に連係するオーバーキャップを設けるとともに、容器本体の口頚部に、該口頚部を抜け出し不能に取り囲むとともに、オーバーキャップの下端に薄肉連結片を介して切り離し可能に連結する封印バンドを設けるようにしたため、オーバーキャップと封印バンドが切り離されない限り、該オーバーキャップが容器本体の口頚部から離れることがなく、商品の流通過程でアンプル容器に振動や衝撃が付加されてもオーバーキャップが簡単に外れることがなく、栓体部を確実に保護することができる。
【００１１】
また、上記の構成からなる本発明の合成樹脂製アンプル容器によれば、ねじ部を、その周りの少なくとも１か所においてねじ山を分断してその部位を平滑部とした間欠ねじ部で構成するようにしたため、その部位の材料を減らすことができ原料使用量の削減、アンプル容器そのものの軽量化に有利であり、しかも、栓体部を傾倒、折り曲げる際に、該平滑部に指をあてがってアンプル容器を把持するホールド部として使用することができるため、容器の把持が確実となる（ねじ部に指が当たると、痛みにより力が入らず、容器の把持が不安定となる）。
【００１２】
本発明による合成樹脂製アンプル容器によれば、封印バンドを、容器本体の口頚部を取り囲む環状帯と、この環状帯の内周壁に設けられ、該環状帯を、口頚部から抜け出し不能に連係させる弾性舌片からなるもので構成したため、オーバーキャップとの一体化が可能となり、アンプル容器への取り付けも該オーバーキャップの装着と同時に行え、効率的な組み付けが実現できる。
【００１３】
オーバーキャップは、ねじ部によって容器本体の口頚部に連係するようになっているため、容器本体から切り離した栓体部をオーバーキャップに収納し、容器本体の口頚部に連係させた状態で一まとめにして廃棄することが可能であり、ゴミの散乱を防止できる。
【図面の簡単な説明】
【００１４】
【図１】（ａ）（ｂ）本発明に従う合成樹脂製アンプル容器の実施の形態を模式的に示した図である。
【図２】図１に示した合成樹脂製アンプル容器の要部の外観斜視図である。
【図３】図１に示した合成樹脂製アンプル容器の開封状態を示した図である。
【００１５】
以下、図面を参照して本発明をより具体的に説明する。
図１は、本発明に従う合成樹脂製アンプル容器の実施の形態を模式的に示した図であり、（ａ）は、容器の側面を一部断面で示した図、（ｂ）は（ａ）のＡ−Ａ部の拡大断面図である。また、図２は、図１の要部（口頚部）を拡大して示した外観斜視図である。
【００１６】
なお、本発明に従うアンプル容器は、例えば、ポリプロピレン（ＰＰ）の如き合成樹脂からなるプリフォームをブロー成形することによって一体的に成形されるものである。
【００１７】
図における符号１は、容器本体である。この容器本体１は、容器の底部を形成する底壁１ａと、この底壁１ａの縁部において立ち上がり、その内側に底壁１ａと協働してその内側に内容物の収納空間Ｍを形成する筒状の胴部１ｂと、この胴部１ｂの上端に肩部を通してつながる筒状の口頚部１ｃとから構成されており、該口頚部１ｃの外周壁には、ねじ部ｎが形成され、その下部にはネックリング１ｄが形成されている。
【００１８】
口頚部１ｃに設けられたねじ部ｎは、図１（ｂ）および図２に示すように、周方向の対向する２箇所においてねじ部ｎのねじ山を分断することによって平滑部ｎ１が形成されていて、該ねじ部ｎは、該平滑部ｎ１によって間欠ねじ部になっている。ねじ部ｎを図示の如く間欠ねじにすることによってアンプル容器を製造に際して使用する樹脂材料を削減するのに有効であるとともに、該アンプル容器の軽量化が可能となる。
【００１９】
平滑部ｎ１は、この例では、対向位置の２箇所に設けた場合について示したが、少なくとも１箇所あるいは２箇所以上設けることも可能であり、図示のように２箇所設けたものには限定されることはない。
【００２０】
また、２は、容器本体１の収納空間を密閉状態に保持する栓体部である。この栓体部２は、天板２ａと、この天板２ａの縁部につながる筒状体２ｂからなり、該筒状体２ｂの下端が破断予定部３を介して口頚部１ｃの突端に一体的につながっている。
【００２１】
ここに、破断予定部３は、栓体部の筒状体２ｂおよび口頚部１ｃよりも縮径された極わずかな肉厚からなる環状体にて構成されており、栓体部２の傾倒、折り曲げによりこの部位を起点に破断させて容器本体１の口部を開放して内容物の取り出しを可能としている。
【００２２】
また、４は、栓体部２を覆い隠すオーバーキャップである。このオーバーキャップ４は、栓体部２の上面に位置する天板４ａと、この天板４ａの縁部に一体連結して下向きに開放された収納空間を形成する筒体４ｂから構成されている。
【００２３】
該筒体４ｂの下部の内壁面には、容器本体１の口頚部１ｃに設けられたねじ部ｎに着脱自在に係合するねじ部４ｃが形成されていて、ねじ部４ｃを、口頚部１ｃのねじ部ｎに係合させることによってオーバーキャップ４を容器本体１の口頚部１ｃに装着することができるようになっている。
【００２４】
また、５は、封印バンドである。この封印バンド５は、容器本体１の口頚部１ｃをネックリング１ｄとともに取り囲む環状帯５ａと、この環状帯５ａの内周壁の複数個所に設けられ、ネックリング１ｄの下側付け根部に当接して環状帯５ａの口頚部１ｃからの抜け出しを不能とする弾性舌片５ｂから構成されている。
【００２５】
封印バンド５の弾性舌片５ｂは、容易に変位することができるため、該封印バンド５を容器本体１の口頚部１ｃに押し込むだけの簡単な動作で容器本体１に装着することができる一方、該封印バンド５が装着されたのちは、該弾性舌片５ｂの先端爪部がネックリング１ｄの付け根部に当接して該ネックリング１ｄに引っ掛かるため、その取り外しが不能となる（嵌め殺し）。
【００２６】
６は、一端がオーバーキャップ４の下端に一体的につながり、他端が封印バンド５の環状帯５ａの上端に一体的につながる薄肉連結片である。
【００２７】
上記薄肉連結片６は、封印バンド５およびオーバーキャップ４の周りに沿い間隔をおいて複数個設けられるものであって、オーバーキャップ４の強制的な回動によって  該薄肉連結片６を引きちぎられることになりオーバーキャップ４の取り外しを可能としている。この薄肉連結片６によってオーバーキャップ４と封印バンド５を予め相互に連結しておくことで、不正な開封が行われたかどうか目視でもって把握できる不正開封把握機能を付与することができる。
【００２８】
上記の構成からなる合成樹脂製アンプル容器を開封するには、まず、オーバーキャップ４を回動させて薄肉連結片６を引きちぎって該オーバーキャップ４を容器本体１の口頚部１ｃから取り外す。
【００２９】
そして、平滑部ｎ１に指をあてがった状態で容器本体１を把持し、図３に示すように、栓体部２を図中矢印に従って傾倒、折り曲げる。
【００３０】
栓体部２の折り曲げにより破断予定部３は、破断され、それによって口部が形成されることとなり、内容物の取り出しが可能となる。この時、指をあてがった平滑部ｎ１はホールド部として機能するため、容器の安定的な把持が可能となる。
【００３１】
オーバーキャップ４の取り外しに際しては、封印バンド５の弾性舌片５ｂを、ネックリング１ｄの下側付け根部に強く当接させておくことによって、該封印バンド５の回動を不能に保持することができるが、該オーバーキャップ４の回動の際の封印バンド５の供回りを確実に防止するため、該ネックリング１ｄあるいは口頚部１ｃの外周壁には、弾性舌片５ｂの幅方向の端部に当接するストッパー（突起等）を少なくとも１つ設けておくのが望ましい。
【産業上の利用可能性】
【００３２】
本発明によれば、商品の流通過程で不可避的に付加される振動や衝撃に起因した栓体部の破損を材料の使用量を増加させることなしに確実に防止し得る合成樹脂製アンプル容器が提供できる。
【符号の説明】
【００３３】
１      容器本体
１ａ    底壁
１ｂ    胴部
１ｃ    口頚部
１ｄ    ネックリング
２      栓体部
２ａ    天板
２ｂ    筒状体
３      破断予定部
４      オーバーキャップ
４ａ    天板
４ｂ    筒体
５      封印バンド
５ａ    環状帯
５ｂ    弾性舌片
６      薄肉連結片
ｎ      ねじ部
ｎ１    平滑部
【図１】
0005897376.tif 000002
【図２】
0005897376.tif 000003
【図３】
0005897376.tif 000004